(57)【特許請求の範囲】
【請求項１】
本体の前面、側面又は背面に設けられ、電気品が収納された本体内部を外部から観察可能にするのぞき窓を有するパネルと、前記のぞき窓を覆うカバーとを備えた冷凍装置において、前記カバーは前記のぞき窓を前記本体の内側から覆うとともに、のぞき窓に対応する透光部と、弾性変形によってカバーをパネルに固着可能にする係合部と、のぞき窓下端を形成しているパネル端部を覆う溝部と、カバー固着時にパネルの本体内側に密着する枠部とを備えたことを特徴とする冷凍装置。
【請求項２】
前記カバーは、前記枠部と先端部本体内側が円弧状に形成された突起部とによって、前記のぞき窓下端を形成しているパネル端部を挟持している請求項１記載の冷凍装置。
【請求項３】
前記カバーは、カバー固着時にのぞき窓側端を形成しているパネル端部に密着する傾斜部を備えたことを特徴とする請求項１又は２記載の冷凍装置。
【請求項４】
前記カバーは、難燃性で且つ耐水性の樹脂材料を使用したことを特徴とする請求項１乃至３の何れか記載の冷凍装置。
【請求項５】
前記パネルを本体外方向への開戸としたことを特徴とする請求項１乃至４の何れか記載の冷凍装置。
【請求項６】
冷凍サイクルを構成する熱交換器およびこの熱交換器を通過する空気流を発生させる送風機が収納された送風室と、冷凍サイクルを構成する圧縮機を収納した機械室と、電気品を収納した電気品箱又は電気品室とを備え、前記機械室並びに電気品箱又は電気品室を正面視で本体の左右何れかに縦方向に配置すると共に、前記送風室を正面視で前記機械室並びに電気品箱又は電気品室の側方に配置し、前記パネルは前記機械室並びに電気品箱又は電気品室の何れか正面を覆い、且つ開戸の回転軸が正面視で本体の略側端部に位置することを特徴とする請求項１乃至５の何れか記載の冷凍装置。
【発明の詳細な説明】
【０００１】
【発明の属する技術分野】
この発明はスーパーマーケットやコンビニエンスストアなどで使用される冷蔵庫や冷凍機の室外機または空気調和機の室外機などの冷凍装置に関わり、特に外部から内部の状況を観察する必要のある部分にカバー付きののぞき窓を有する冷凍装置に関するものである。
【０００２】
【従来の技術】
図７は特開平０８−３０３９３８号公報に開示された従来の冷凍冷蔵庫のフロントパネルにおけるのぞき窓の構造を示した側面図である。図７において、１は業務用冷蔵庫あるいは業務用ショーケース等の冷凍冷蔵庫のフロントパネルを示している。フロントパネル１にはのぞき窓２と前側に開放するＣ形溝２６とのぞき窓２に取付けられる透明カバー３を備えている。尚、のぞき窓２の開口幅寸法はＣ形溝２６の対応する幅寸法より大きく設定されている。
【０００３】
のぞき窓２に透明カバー３が前側から着脱自在に取付けられるようになっているが、透明カバー３は前記のぞき窓２の開口寸法より大きくのぞき窓２を全面的に覆う前板３０ａと前板の外周縁より内側にのぞき窓の開口寸法とほぼ同一に設定された突縁部３０ｂが外周縁に沿って枠状に形成される。またこの突縁部には長手方向に所定間隔の複数の爪片３２が形成されている。
【０００４】
このような構成にすることによって、透明カバー３取付時には、Ｃ形溝２６の開口部を拡げるようフロントパネル１を後方に向けて撓ませることにより、のぞき窓の開口部２の開口幅寸法を拡げる。この状態で透明カバー３の各下部爪片３６をのぞき窓２に挿通してパネル裏側に取付ける。フロントパネルのＣ形溝を元の状態に戻すことにより上下の爪部３２、３６がのぞき窓２の開口端縁部に係合し透明カバー３がのぞき窓２に確実に取付けられる。
【０００５】
【発明が解決しようとする課題】
従来の冷凍冷蔵庫は、上述したとおり、Ｃ形溝２６の開口部を拡げるようフロントパネル１を後方に向けて撓ませることにより、のぞき窓の開口部２の開口幅寸法を拡げ、この状態で透明カバー３の各下部爪片３２、３４をのぞき窓２に挿通してパネル裏側に取付ける構造のため、パネル本体へのＣ形溝加工が必要となる。パネル本体へのＣ形溝加工はパネルの加工コストおよび加工工程の増加につながり製品のコストアップの原因となる。また、パネル寸法が大きくなるとパネルの重量が重くなるためＣ形溝の開口部を拡げる作業が非常に困難で作業効率の低下を引き起こす。
【０００６】
また上述した透明カバ−３は室内に使用する業務用冷蔵庫等に使用するため、のぞき窓から雨水など水の浸入を防ぐことを考慮した構造にはなっていない。特に透明カバー３を外側から着脱する構造であるため、設置環境によっては溝部３４から雨水などの進入が考えられる。冷凍装置は様々な環境下に置かれ、例えば空気調和機の室外機は雨水にさらされる可能性があり、業務用冷蔵庫の場合であっても室内の居住空間に設置されるとは限らないので、結露水の影響を受ける可能性がある。フロントパネルに取付けられた透明カバーの機械内部には電気部品等が配置されることがあるが、従来の冷凍装置は、雨水などの侵入を防止できる構造ではないという課題があった。
【０００７】
また透明カバ−の内部に電気部品等が配置されているが、冷凍装置本体内外の熱に対して耐熱性が考慮されていないという課題があった。
【０００８】
この発明は上記のような課題を解決するためになされたもので、カバーの取付性が良く、のぞき窓から水が侵入することを防止できる冷凍装置を得ることを目的とする。
【０００９】
【課題を解決するための手段】
この発明に係る冷凍装置は、本体の前面、側面又は背面に設けられ、電気品が収納された本体内部を外部から観察可能にするのぞき窓を有するパネルと、前記のぞき窓を覆うカバーとを備えた冷凍装置において、前記カバーは前記のぞき窓を前記本体の内側から覆うとともに、のぞき窓に対応する透光部と、弾性変形によってカバーをパネルに固着可能にする係合部と、のぞき窓下端を形成しているパネル端部を覆う溝部と、カバー固着時にパネルの本体内側に密着する枠部とを備えたものである。
【００１０】
また、前記カバーは、前記枠部と先端部本体内側が円弧状に形成された突起部とによって、のぞき窓下端を形成しているパネル端部を挟持しているものである。
【００１１】
また、前記カバーは、カバー固着時にのぞき窓側端を形成しているパネル端部に密着する傾斜部を備えたものである。
【００１２】
また、前記カバーは、難燃性で且つ耐水性の樹脂材料を使用したものである。
【００１３】
また、前記パネルを本体外方向への開戸としたものである。
【００１４】
また、冷凍サイクルを構成する熱交換器およびこの熱交換器を通過する空気流を発生させる送風機が収納された送風室と、冷凍サイクルを構成する圧縮機を収納した機械室と、電気品を収納した電気品箱又は電気品室とを備え、前記機械室並びに電気品箱又は電気品室を正面視で本体の左右何れかに縦方向に配置すると共に、前記送風室を正面視で前記機械室並びに電気品箱又は電気品室の側方に配置し、前記パネルは前記機械室並びに電気品箱又は電気品室の何れか正面を覆い、且つ開戸の回転軸が正面視で本体の略側端部に位置させたものである。
【００１５】
【発明の実施の形態】
実施の形態１．
以下、この発明の実施の形態を図について説明する。図１はこの発明における冷凍装置であって、室内機と室外機とに分離された空気調和装置のうち、室外機を示す斜視図である。図１において、１００は室外機本体、１０１は本体１００内の一側に区画形成され送風室の正面側に配設された吹き出しグリル、１０２は送風室の側面および背面側に形成された吸込口、１０３は吸込口１０２の内側に配置された室外熱交換器で、送風室内の室外熱交換器１０３と吹き出しグリル１０１との間には図示しないプロペラファンの送風機が配置されている。尚、本実施の形態では、プロペラファンは縦方向に２機設置されている。
【００１６】
１は本体１００内の他側に区画形成された図示しない機械室と電気品箱の正面を覆う開戸式のパネルで、開閉時の回転軸は本体１００正面視で本体の最も左側である。電気品箱は機械室の上方または上部前側に配置されているが、電気品箱ではなく電気品室とし、機械室と縦方向に区画しても良い。本体１００内他側下部に区画された機械室には圧縮機が配置され、この圧縮機と上述した室外熱交換器１０３、絞り装置、室内側熱交換器と順次配管接続されて冷凍サイクルを構成している。２はパネル１に開口され、機械室、電気品箱など本体１００内部を本体１００外側から観察可能にするのぞき窓、３はのぞき窓を覆うカバーである。従って、本体１００は正面視において、パネル１が左側に、吹き出しグリル１０１が右側に位置している。
【００１７】
図２は図１に示したパネル１の部分拡大図である。図２においてパネル１は鋼板に用途に合わせた塗装を施したものである。一般的な鋼板厚さとしては０．８〜１．６ｍｍ程度であり、表面に施す塗装に関しては使用環境に応じた処理を施している。例えば海岸地域に設置される冷凍装置の場合、塗装厚さを標準品より厚めにしている。のぞき窓２は本体１００内部が外部から視認できるように開口されており、角形や角穴の４辺を丸取した穴など（本図では角穴で説明）、用途に応じた形状の穴とすれば良い。３は透明のカバーで外部からの雨水の浸入、塵埃の進入等を防ぐ目的のため前記ののぞき窓２に取付けられている。
【００１８】
図３は図２に示したパネルおよびカバーの断面図である。図３においてカバー３の構造について詳細に説明する。カバー３にはのぞき窓２の開口部寸法より一回り大きく、のぞき窓２を全面的に覆うことを可能にする枠状の板部４（枠部）が形成されている。板部４よりのぞき窓側には、先端部断面形状が半円状の突起部５が形成されており、板部４と突起部５によって、のぞき窓２下端を形成しているパネル１端部を挟持している。この突起部５はのぞき窓２下端を形成するパネル１端部全てを覆うように成形加工されており、突起部５と板部４下部とで下向きに開口した溝部９を形成し、上述したパネル１端部の端面全体に当接している。そして後述するようにのぞき窓２部下端を形成するパネル１の端部に溝部９を嵌め込める形状となっている。
【００１９】
また板部４よりのぞき窓側の上水平面には長手方向に所定間隔の爪６が複数個（本実施の形態では２つ）形成されている。この爪部６は板部４から離れるにつれて下方に傾斜する斜面部を設けており、のぞき窓１の端面に嵌め込む際に容易に取付けられるようになっている。また爪部６の根元部には板部４より少しだけ掘り込まれた溝部７を形成している。この溝部７は爪部６が上下方向に弾性変形してある程度撓むようにするものであり、のぞき窓２上端を形成するパネル１の端面に容易に嵌め込めるように設けられている。またこのカバー３の材料であるが、耐候性（耐水性）に優れ、難燃性（ＵＬ規格で述べるならば９４Ｖ−０以上）に優れた材料で製作されている。本実施の形態ではポリカーボネートが使用されている。これら溝部９および爪部６はカバー３をパネル１に固着させる係合部としての機能を担っている。
【００２０】
図４はカバ−をパネルへ取付ける状態を示す断面図である。図４にて、カバ−をパネルへ取付ける方法について詳細に説明する。まずのぞき窓２下端を形成するパネル１端部にカバ−３の半円状突起部５を引っ掛ける。すなわちのぞき窓２の板金端面がカバー３の溝部９に嵌め込まれる。この際、突起部５の先端が半円状（この場合突起部５先端の本体内側に形成された４分の１円状の円弧形状が寄与）なので、溝部９の開口幅が広く、引っ掛けが容易である。突起部５をのぞき窓２下端を形成するパネル１端部に引っ掛けた後、カバー３を垂直になるよう立てていき、カバー３上部の爪部６の傾斜部をのぞき窓２上端を形成するパネル１端面に滑らせてパネル１端部に引っ掛け、カバー３をパネル１に固着する。この際、突起部５の先端が半円状（この場合突起部５先端の本体内側に形成された４分の１円状の円弧形状が寄与）なので、のぞき窓２下端を形成するパネル１端が突起部５の円弧形状に沿って溝部９奥部へとスムーズに移動することができる。また、爪部６には板部４から離れる方向に下方に傾斜する傾斜部を設けており、かつ爪部６の根元部には板部４より少しだけ掘り込んだ溝部７を形成しているため、爪部６が十分に撓みのぞき窓２への取付けが容易になる。またカバー３の爪部６、突起部５が形成されていないサイド側の枠部形状は、図５の水平断面図に示すとおり、傾斜部８がのぞき窓２高さ方向全体にわたって形成されている。傾斜部８の最下端がのぞき窓開口部寸法より若干大きくなっており、のぞき窓２へのカバー３固着時に、その押圧力によってのぞき窓２の開口部へぴったりと密着する。
【００２１】
カバ−３の板部４および傾斜部８がのぞき窓端面全周を形成するパネル１端部とぴったり密着することにより、本体１００外部からの塵埃が本体内部、特に機械室や電気品箱へ侵入することを防止できる。塵埃の機械室内進入防止は内部の精密機械への悪影響を未然に防ぐことができるばかりでなく、電気部品の接点部への塵埃の付着を防止することができ、電気品の短絡を回避し冷凍機の停止等によるトラブル（非冷却物に悪影響を与える）を防ぐことができる。また図６の断面図に示すとおり、先端が半円状の突起部５がのぞき窓２から外側に突き出していることおよび爪部６には傾斜部を設けているため、雨水は爪部６の傾斜に沿って流れカバー３をつたい半円状の突起部５の最下端へ集約されて自由落下する。このようにして本体１００内部への雨水侵入を防止することができる。機械室や電気品箱内への雨水侵入防止は電気部品への雨水付着を阻止することができ、電気品の短絡を回避し冷凍機の停止等によるトラブル（非冷却物に悪影響を与える）などを防ぐことができる。
【００２２】
また、半円状の突起部５がのぞき窓２から本体１００外部側に突き出していることおよび爪部６を設けているため、従来のようにパネル１にＣ形溝を設ける必要がなくなる。このため、パネルの加工工程および加工コストを削減することができ安価に製品を提供することが可能となる。また、カバーを取付ける際にＣ形溝の開口部を拡げるようパネルを後方に向けて撓ませる必要がなくなるため、大型パネル等の重量物へカバーを取り付けることが容易になり、作業性の向上、ひいては製品コストの削減になる。
【００２３】
また、材料に難燃性グレードのよい材料（本実施の形態ではポリカーボネート）を使用しているため、冷凍装置周囲で発火等異常加熱があった場合、カバーを溶融させることを防止できる。また透明カバーは射出成形等の工程によって形成されるが、従来の材料である硬質塩化ビニル等で成形する場合ダイオキシンなどの有害物質が排出されるが、ポリカーボネートを使用することにより前記ダイオキシン等の有害物質を排出することなく、環境に優しい材料である。
【００２４】
本体１００は、機械室および電気品箱を正面視で本体の左側に縦方向に配置すると共に、送風室を正面視で機械室および電気品箱の側方となる右側に配置し、さらに機械室および電気品箱正面側を覆うパネル１の回転軸が正面視で本体１００の左側端部に位置する配置構成としている。このような配置構成とすることにより、パネル１を開放して機械室や電気品箱内のメンテナンスを行なう場合、開いたパネル１は本体１００の最左側となり、吹き出しグリル１０１前方を含め、本体１００前面の略全てを作業スペースとして確保できる。カバー３は雨水の侵入を防止する構造なので、のぞき窓２の上方や側方に雨避けの軒を突出させる必要がないから、パネル１における正面側への突出物を無くすことができ、パネル１の回転軸を本体１００の左側端部に位置させてもパネル１開時に本体１００左方の障害物に突出物が当たってパネル１を充分開放できないといった不具合を解消できる。また、雨避けの軒を必要としないから、のぞき窓の形状や大きさを用途に応じて適宜決められる設計上の自由度向上にもつながる。
【００２５】
上記実施の形態では、パネルを本体正面に設けた場合について説明したが、本体側面や背面に設けても良い。また、冷凍装置として室内機と室外機とに分離された空気調和装置の室外機について説明したが、これに限るものではなく、室内機や冷蔵庫などでも良い。
【００２６】
【発明の効果】
以上説明したとおり本発明では、本体の前面、側面又は背面に設けられ、電気品が収納された本体内部を外部から観察可能にするのぞき窓を有するパネルと、前記のぞき窓を覆うカバーとを備えた冷凍装置において、前記カバーは前記のぞき窓を前記本体の内側から覆うとともに、のぞき窓に対応する透光部と、弾性変形によってカバーをパネルに固着可能にする係合部と、のぞき窓下端を形成しているパネル端部を覆う溝部と、カバー固着時にパネルの本体内側に密着する枠部とを備えたので、カバーの取り付けが容易で、外部からの塵埃や水が本体内部へ侵入することを防止でき、内部の精密機械への悪影響を未然に防いだり、電気品の短絡を回避し冷凍機の停止等を防ぐことができる。
【００２７】
また、前記カバーは、前記枠部と先端部本体内側が円弧状に形成された突起部とによって、のぞき窓下端を形成しているパネル端部を挟持しているので、パネルへのカバー取り付けが容易になる。
【００２８】
また、前記カバーは、カバー固着時にのぞき窓側端を形成しているパネル端部に密着する傾斜部を備えたので、カバーとパネルとの密着が良好になる。
【００２９】
また、前記カバーは、難燃性で且つ耐水性の樹脂材料を使用したので、のぞき窓を通じて熱の影響がおよぶのを防止できる。
【００３０】
また、前記パネルを本体外方向への開戸としても、のぞき窓上方に雨水侵入防止用の軒を必要としないから、パネルの開度を確保しやすくなる。
【００３１】
また、冷凍サイクルを構成する熱交換器およびこの熱交換器を通過する空気流を発生させる送風機が収納された送風室と、冷凍サイクルを構成する圧縮機を収納した機械室と、電気品を収納した電気品箱又は電気品室とを備え、前記機械室並びに電気品箱又は電気品室を正面視で本体の左右何れかに縦方向に配置すると共に、前記送風室を正面視で前記機械室並びに電気品箱又は電気品室の側方に配置し、前記パネルは前記機械室並びに電気品箱又は電気品室の何れか正面を覆い、且つ開戸の回転軸が正面視で本体の略側端部に位置させたので、パネルを充分に開放できると共に本体正面に広い作業スペースが確保できる。
【図面の簡単な説明】
【図１】  この発明の実施の形態１に係る冷凍装置の室外機を示す斜視図。
【図２】  この発明の実施の形態１に係る冷凍装置のフロントパネルの部分拡大図。
【図３】  この発明の実施の形態１に係わる冷凍装置ののぞき窓付近の側断面図。
【図４】  この発明の実施の形態１に係わる冷凍装置ののぞき窓付近の側断面図。
【図５】  この発明の実施の形態１に係わる冷凍装置ののぞき窓付近の平面断面図。
【図６】  この発明の実施の形態１に係わる冷凍装置ののぞき窓付近の側断面図。
【図７】  従来の冷凍冷蔵庫ののぞき窓付近の側断面図。
【符号の説明】
１：パネル、  ２：のぞき窓、  ３：カバ−、  ４：板部、  ５：突起部、  ６：爪部、  ７：溝部、  ８：傾斜部、  ９：溝部、  ２６：Ｃ形溝、  ３０ａ：前板、  ３０ｂ：突縁部、  ３２：爪片（上部）、  ３４：溝部、  ３６：爪片（下部）、  ３８：溝部、  ４０：側板。
【図１】
0004715072.tif 000002
【図２】
0004715072.tif 000003
【図３】
0004715072.tif 000004
【図４】
0004715072.tif 000005
【図５】
0004715072.tif 000006
【図６】
0004715072.tif 000007
【図７】
0004715072.tif 000008